(57)【要約】【課題】紙面乾燥性に優れるとともに、フェザリングや文字の白スジの発生を防止することが可能なインクジェット記録用水性顔料インク及びインクジェット記録方法を提供する。【解決手段】顔料、飽和蒸気圧が２〜１０ｈＰａかつオクタノール−水分配係数ｌｏｇＰが０〜１．３５であるプロピレングリコール誘導体及びジプロピレングリコール−ｎ−プロピルエーテルを含有するインクジェット記録用水性顔料インクであって、前記プロピレングリコール誘導体の含有量が０．２５〜１．５重量％であり、かつ、前記ジプロピレングリコール−ｎ−プロピルエーテルの含有量が０．５〜１重量％であるインクジェット記録用水性顔料インク。【選択図】なし【特許請求の範囲】
【請求項１】
顔料、飽和蒸気圧が２〜１０ｈＰａかつオクタノール−水分配係数ｌｏｇＰが０〜１．３５であるプロピレングリコール誘導体及びジプロピレングリコール−ｎ−プロピルエーテルを含有するインクジェット記録用水性顔料インクであって、
前記プロピレングリコール誘導体の含有量が０．２５〜１．５重量％であり、かつ、
前記ジプロピレングリコール−ｎ−プロピルエーテルの含有量が０．５〜１重量％であることを特徴とするインクジェット記録用水性顔料インク。
【請求項２】
前記プロピレングリコール誘導体が、プロピレングリコールメチルエーテル、プロピレングリコールエチルエーテル、プロピレングリコール−ｎ−プロピルエーテル及びプロピレングリコールメチルエーテルアセテートからなる群から選択される少なくとも一種であることを特徴とする請求項１記載のインクジェット記録用水性顔料インク。
【請求項３】
前記ジプロピレングリコール−ｎ−プロピルエーテルの含有量が、０．８〜１重量％であることを特徴とする請求項１又は２記載のインクジェット記録用水性顔料インク。
【請求項４】
前記顔料が、自己分散型顔料であることを特徴とする請求項１〜３のいずれかに記載のインクジェット記録用水性顔料インク。
【請求項５】
請求項１〜４のいずれかに記載のインクジェット記録用水性顔料インクを使用することを特徴とするインクジェット記録方法。
【発明の詳細な説明】
【技術分野】
【０００１】
本発明は、紙面乾燥性に優れるとともに、フェザリングや文字の白スジの発生を防止することが可能なインクジェット記録用水性顔料インク及びインクジェット記録方法に関するものである。
【背景技術】
【０００２】
インクジェット記録方式は、例えば、静電吸引方式；圧電素子を用いてインクに機械的振動又は変位を与える方式；インクを加熱することにより気泡を発生させ、その時に発生する圧力を利用する方式等のインク吐出方式によりインク小滴を形成し、それらの一部又は全部を紙等の被記録材に付着させて記録を行うものである。
【０００３】
このようなインクジェット記録方式に使用するインクジェット記録用インクとしては、各種の水溶性の染料又は顔料を、水等からなる液媒体に溶解又は分散させたものが使用されている。このインクジェット記録用インクには、例えば、長期間使用されなくても沈澱や凝集を生じないこと、インクジェットプリンターのヘッドの先端部及びインク流路内で目詰まりしないこと、印字品質が良好なこと、耐候性が優れていること等が要求される。
【０００４】
ここで、染料と顔料とを比較すると、染料は水等からなるインク媒体中に完全に溶解するため耐水性が悪く、その化学構造上、耐光性もかなり劣る。これに対して、顔料はインク媒体中に溶解せずに分散させるので、耐水性を含めた耐候性は極めて良好である。特に顔料インクは水分の蒸発後に固化しやすく、一旦紙面上で固化すると、顔料と紙の間で強固な結合が生じるので、染料インクよりも紙への固着性に優れている。また、顔料インク中に分散剤やバインダーとして樹脂を含有させている場合には、更にこの作用が助長される。そのため近年のインクジェット記録用インクは染料インクから顔料インクへと移行しつつある。
【０００５】
また、近年では、印刷後の画像の輪郭がシャープで、フェザリングやブリーディング等のにじみを極力抑えた写真画像並の印字品質を有するインクジェット記録用顔料インクが望まれている。このような印字品質を実現するため、インクジェット記録用顔料インクには、インクを速やかに用紙の内部に浸透させ、フェザリングや紙面の乾燥性の問題を解決することを目的として、浸透剤と呼ばれる水溶性有機溶剤が添加されている。
【０００６】
このような浸透剤としては、ジエチレングリコール−ｎ−ブチルエーテル、トリエチレングリコール−ｎ−ブチルエーテル、プロピレングリコール−ｎ−ブチルエーテル、ジプロピレングリコール−ｎ−ブチルエーテル、トリプロピレングリコール−ｎ−ブチルエーテル等のグリコール系ｎ−ブチルエーテル等が知られており、例えば、特許文献１には、プロピレングリコールモノブチルエーテル、ジプロピレングリコールモノブチルエーテル等を含有するインクジェット記録用インクが開示されている。
【０００７】
なお、フェザリングとは、表面をコーティングしていない普通紙等に印字を行った場合、不規則に存在する紙の繊維にそってインクが浸透し、毛羽立った不鮮明な画像となる現象のことをいう。
【０００８】
しかしながら、従来より用いられている浸透剤は、紙への浸透性が大きすぎることから、レーザープリンタと同程度のフェザリングの発生が極めて少ない印刷品質を実現するためには、浸透剤の添加量を少なくして紙への浸透性を抑制する必要があり、浸透剤の添加量が少なくすると、紙面での乾燥性が低下し、充分な紙面乾燥性を得られないという問題があった。また、浸透剤の添加量を少なくすると紙への浸透性が低下するため、印刷後の文字部分の白スジが発生するという問題があった。
【０００９】
従って、優れた紙面乾燥性を確保しつつ、フェザリングや文字の白スジが発生することのないインクが求められていた。
【００１０】
【特許文献１】特開平８−２８３６３１号公報
【発明の開示】
【発明が解決しようとする課題】
【００１１】
本発明は、上述した問題点を解決するためになされたものであり、紙面乾燥性に優れるとともに、フェザリングや文字の白スジの発生を防止すること可能なインクジェット記録用水性顔料インクを提供することを目的とする。
【課題を解決するための手段】
【００１２】
本発明は、顔料、飽和蒸気圧が２〜１０ｈＰａかつオクタノール−水分配係数ｌｏｇＰが０〜１．３５であるプロピレングリコール誘導体及びジプロピレングリコール−ｎ−プロピルエーテルを含有するインクジェット記録用水性顔料インクであって、上記プロピレングリコール誘導体の含有量が０．２５〜１．５重量％であり、かつ、上記ジプロピレングリコール−ｎ−プロピルエーテルの含有量が０．５〜１重量％であることを特徴とするインクジェット記録用水性顔料インクである。
【００１３】
以下に本発明を詳述する。
【００１４】
本発明者らは、特定の飽和蒸気圧及び特定のオクタノール−水分配係数ｌｏｇＰとを有するプロピレングリコール誘導体と、ジプロピレングリコール−ｎ−プロピルエーテルとを併用することにより、紙面乾燥性に優れるとともに、フェザリングや文字部分の白スジの発生のないインクジェット記録用水性顔料インクが得られることを見出し、本発明を完成するに至った。これは、性質の異なる複数の浸透剤を併用することにより、適度な浸透性と乾燥性とを両立できるためと考えられる。
【００１５】
本発明のインクジェット記録用水性顔料インクは、プロピレングリコール誘導体を含有する。上記プロピレングリコール誘導体は、主鎖に分枝構造を有しており、この分枝部分が立体障害となることにより、インク中で水和されにくくなることから、エチレン系のグリコール誘導体と比較して、水素結合力が小さいものとなる。その結果、疎水性が若干強くなり、インクに添加した場合、飽和蒸気圧が高いものとなる。また、上記プロピレングリコール誘導体は、主鎖に酸素分子と分枝構造とを有しており、分子内の疎水性部分と親水性部分とが局在化しておらず、疎水性と親水性とのバランスが良好であることから、フェザリングの発生を防止することができるとともに、ある程度の浸透性を付与することができる。
【００１６】
上記プロピレングリコール誘導体は、飽和蒸気圧が２〜１０ｈＰａである。
【００１７】
２ｈＰａ未満であると印刷後乾燥しにくくなり、紙面の乾燥性が悪化する。１０ｈＰａを超えると乾燥性が高くなり過ぎるため、インクジェットヘッドのノズル表面で目詰まりを起こしたり、有機溶剤特有の臭気が強くなったりする。
【００１８】
さらに、上記プロピレングリコール誘導体は、オクタノール−水分配係数ｌｏｇＰが０〜１．３５である。
【００１９】
上記オクタノール−水の分配係数ｌｏｇＰは、その物質の無機性値（ＩＶ）と有機性値（ＯＶ）とから、下記式（１）により求められる。なお、上記無機性値及び有機性値は、水酸基の無機性値を１００、炭素原子１個の有機性値を２０として計算される値であり、物質の無機性値及び有機性値は、分子中に含まれる原子や置換基の無機性値や有機性値をそれぞれ合計することによって求めることができる。
【００２０】
また、上記無機性値及び有機性値は、親水性又は疎水性を表わす指標となるので、上記無機性値及び有機性値から求められたオクタノール−水の分配係数ｌｏｇＰも親水性及び疎水性のバランスを示す値となる。従って、上記オクタノール−水の分配係数が大きいほど疎水性が強く、小さいほど親水性が強い。
【００２１】
【数１】
2005336463.tif 000002
【００２２】
上記プロピレングリコール誘導体は、オクタノール−水分配係数ｌｏｇＰが上述した範囲内であるため、親水性が比較的高い。通常、印刷に使用される用紙には、サイズ剤等の疎水性が高い物質が添加されていることから、親水性の高いインクほど紙となじみにくく、浸透性が低くなる。従って、上記オクタノール−水分配係数ｌｏｇＰが上述した範囲内のプロピレングリコール誘導体を含有するインクを用いることで、フェザリングの発生を抑制することが可能となる。
【００２３】
一方、上記オクタノール−水分配係数ｌｏｇＰが０未満であると、親水性が高くなり過ぎ紙への浸透性が悪化することから、にじみが不足して文字部分のドットマトリックスをきれいに埋めることができず、白スジを生じたり、紙面乾燥性が悪化したりする。また、上記オクタノール−水分配係数ｌｏｇＰが１．３５を超えると、疎水性が高くなり、インクと紙とがなじみ過ぎることから、紙への浸透性が過剰に大きくなりフェザリングが発生する。
【００２４】
上記飽和蒸気圧が２〜１０ｈＰａかつ上記オクタノール−水分配係数ｌｏｇＰが０〜１．３５であるプロピレングリコール誘導体の具体例としては、例えば、プロピレングリコールメチルエーテル、プロピレングリコールエチルエーテル、プロピレングリコール−ｎ−プロピルエーテル、プロピレングリコールメチルエーテルアセテート等を挙げることができる。
【００２５】
上記プロピレングリコール誘導体の含有量は、本発明のインクジェット記録用水性顔料インクの全量に対して０．２５〜１．５重量％である。０．２５重量％未満であると紙面乾燥性が悪化したり、印刷後の記録部分に白スジが発生したりするおそれがあり、１．５重量％を超えるとフェザリングが発生しやすくなる。
【００２６】
本発明者らは、上記プロピレングリコール誘導体の含有量が上記範囲内である場合に、紙面乾燥性に優れるとともに、フェザリングや文字の白スジの発生を防止することができることを見出した。
【００２７】
本発明のインクジェット記録用水性顔料インクは、ジプロピレングリコール−ｎ−プロピルエーテルを含有する。
【００２８】
上記ジプロピレングリコール−ｎ−プロピルエーテルは、主鎖がプロピレン構造であり、さらに上記プロピレングリコール誘導体よりも長い主鎖を有することから、オクタノール−水分配係数ｌｏｇＰが１．８７であり、疎水性が高くなっている。このため、上記ジプロピレングリコール−ｎ−プロピルエーテルを含有するインクは、紙への浸透性が良好となるため、紙面乾燥性に優れ、文字の白スジの発生を防止することが可能となる。
【００２９】
上記ジプロピレングリコール−ｎ−プロピルエーテルの含有量は、本発明のインクジェット記録用水性顔料インクの全量に対して０．５〜１重量％である。０．５重量％未満であると紙面乾燥性が悪化したり、印刷後の記録部分に白スジが発生したりするおそれがあり、１重量％を超えるとフェザリングが発生するおそれがある。好ましくは０．８〜１重量％である。
【００３０】
本発明のインクジェット記録用水性顔料インクは、顔料を含有する。
【００３１】
上記顔料は、分散剤なしでも安定した分散ができる自己分散型顔料であることが好ましい。上記自己分散型顔料は、顔料粒子の表面にカルボキシル基、カルボニル基、ヒドロキシル基、スルホン基等の親水性官能基及び／又はその塩が、直接又は多価の基を介して化学結合により導入されていることによって、分散剤なしでも水に分散可能なものである。
【００３２】
上記自己分散型顔料としては特に限定されず、例えば、特開平８−３４９８号公報、特表２０００−５１３３９６号公報等に記載の方法によって表面処理された自己分散顔料を用いることができる。また、市販されているものとしては、例えば、ＣＡＢ−Ｏ−ＪＥＴ（登録商標）２００、ＣＡＢ−Ｏ−ＪＥＴ（登録商標）３００（キャボット社製）、ボンジェット（登録商標）ＣＷ１（オリエント化学工業社製）、ＬＩＯＪＥＴ（登録商標）  ＷＤ  ＢＬＡＣＫ  ００２Ｃ（東洋インキ製造社製）等を挙げることができる。
【００３３】
上記自己分散型顔料に用いることができる顔料としては特に限定されず、無機顔料及び有機顔料のいずれも使用することができる。また、上記表面処理を行うのに適した顔料としては、ＭＡ８及びＭＡ１００（以上、三菱化成（株）製）、カラーブラックＦＷ２００（デグサ社製）等のカーボンブラック等を挙げることができる。
【００３４】
上記自己分散型顔料の含有量は、所望の色や濃度に応じて決定されるが、本発明のインクジェット記録用水性顔料インクの全量に対して１〜１５重量％であることが好ましく、より好ましくは１〜１０重量％である。
【００３５】
本発明のインクジェット記録用水性顔料インクは、水を含有する。
【００３６】
上記水としては、種々のイオンを含有する一般の水ではなく、脱イオン水を使用することが好ましい。上記水の含有量は、水以外の溶剤成分の種類や組成及び所望されるインクの特性に応じて広い範囲で決定される。好ましくは本発明のインクジェット記録用水性顔料インク全量に対して１０〜９５重量％であり、より好ましくは１０〜７０重量％であり、更に好ましくは２０〜７０重量％である。
【００３７】
本発明のインクジェット記録用水性顔料インクは、上記プロピレングリコール誘導体及び上記ジプロピレングリコール−ｎ−プロピルエーテルの他に水溶性有機溶剤を含有することが好ましい。上記水溶性有機溶剤を含有することにより、インクジェットヘッドの先端部に於けるインクの乾燥を防止したり、印字濃度を高くしたり、鮮やかな発色を行うことが可能となる。
【００３８】
上記水溶性有機溶剤としては、水溶性グリコールを含有することが好ましい。上記水溶性グリコールは湿潤剤として作用し、インクジェットヘッドの目詰まりの発生、インク中の水分蒸発による析出発生、インクの乾固等を防止することができる。
【００３９】
上記水溶性グリコールとしては特に限定されず、例えば、グリセリン、エチレングリコール、ジエチレングリコール、トリエチレングリコール、ポリエチレングリコール、プロピレングリコール、ジプロピレングリコール、トリプロピレングリコール、ポリプロピレングリコール、１，５−ペンタンジオール、１，６−ヘキサンジオール等を挙げることができる。
【００４０】
上記水溶性有機溶剤として水溶性グリコールを用いる場合、上記水溶性グリコールの含有量は、本発明のインクジェット記録用水性顔料インクの全量に対して５〜５０重量％であることが好ましい。５重量％未満であると、湿潤作用が不充分となり析出、乾固等の問題を生じることがある。５０重量％を超えると、必要以上に増粘して噴射不能となったり、紙面上での乾燥が極端に遅くなったりすることがある。より好ましくは、１０〜４０重量％であり、更に好ましくは１５〜３５重量％である。
【００４１】
上記水溶性グリコール以外の水溶性有機溶剤としては、例えば、ジメチルホルムアミド、ジメチルアセトアミド等のアミド；アセトン、ジアセトンアルコール等のケトン又はケトアルコール；テトラヒドロフラン、ジオキサン等のエーテル；グリセリン、２−ピロリドン、Ｎ−メチル−２−ピロリドン、１，３−ジメチル−２−イミダゾリジノン等を挙げることができる。これらの水溶性有機溶剤は、単独で用いられてもよいし、２種以上が併用されてもよい。
【００４２】
本発明のインクジェット記録用水性顔料インクの基本構成は以上の通りであるが、吐出安定性、ヘッドやインクカートリッジ材料との適合性、保存安定性、画像保存性、その他の諸性能向上の目的に応じて、更に、従来公知の界面活性剤、粘度調整剤、表面張力調整剤、ｐＨ調整剤、金属防錆剤、比抵抗調整剤、被膜形成剤、紫外線吸収剤、酸化防止剤、退色防止剤、防腐防カビ剤等を含有していてもよい。
【００４３】
本発明のインクジェット記録用水性顔料インクを熱エネルギーの作用によって噴射させるインクジェット方式に適用する場合には、比熱、熱膨張係数、熱伝導率等の熱的な物性値が調整されてもよい。
【００４４】
本発明のインクジェット記録用水性顔料インクを用いたインクジェット記録方法もまた本発明の１つである。
【発明の効果】
【００４５】
本発明は、従来技術の問題点が充分に解決されており、上記の要件を満たすようなプロピレングリコール誘導体とジプロピレングリコール−ｎ−プロピルエーテルとを含有することにより、紙面乾燥性に優れるとともに、フェザリングや文字の白スジの発生を防止すること可能なインクジェット記録用水性顔料インク及びインクジェット記録方法を実現することができる。
【発明を実施するための最良の形態】
【００４６】
以下に実施例を掲げて本発明を更に詳しく説明するが、本発明はこれらの実施例のみに限定されるものではない。
（実施例１）
水：４０重量部、グリセリン：２５．５重量部、プロピレングリコール−ｎ−プロピルエーテル（ＰＧＰＥ）：０．５重量部、ジプロピレングリコール−ｎ−プロピルエーテル（ＤＰＧＰＥ）：１重量部を撹拌混合し、インク用溶媒６７重量部を調製した。
【００４７】
次いで、ＣＡＢ−Ｏ−ＪＥＴ（登録商標）３００（カーボンブラック濃度１５％、キャボット社製）：３３重量部を撹拌しながら、調製したインク用溶媒６７重量部を徐々に添加した。３０分間撹拌した後に、孔径１μｍのメンブランフィルターで濾過を行い、インクを調製した。
（実施例２）
水：４０重量部、グリセリン：２５．７重量部、ＰＧＰＥ：０．５重量部、ＤＰＧＰＥ：０．８重量部を撹拌混合し、インク用溶媒６７重量部を調製した。
【００４８】
次いで、ＣＡＢ−Ｏ−ＪＥＴ（登録商標）３００（カーボンブラック濃度１５％、キャボット社製）：３３重量部を撹拌しながら、調製したインク用溶媒６７重量部を徐々に添加した。３０分間撹拌した後に、孔径１μｍのメンブランフィルターで濾過を行い、インクを調製した。
（実施例３）
水：３９重量部、グリセリン：２６．２重量部、ＰＧＰＥ：１重量部、ＤＰＧＰＥ：０．８重量部を撹拌混合し、インク用溶媒６７重量部を調製した。
【００４９】
次いで、ボンジェット（登録商標）ＣＷ１（カーボンブラック濃度１５％、オリエント化学工業（株）製）：３３重量部を撹拌しながら、調製したインク用溶媒６７重量部を徐々に添加した。３０分間撹拌した後に、孔径１μｍのメンブランフィルターで濾過を行い、インクを調製した。
（実施例４）
水：４９重量部、グリセリン：２４重量部、ＰＧＰＥ：１重量部、ＤＰＧＰＥ：１重量部を撹拌混合し、インク用溶媒７５重量部を調製した。
【００５０】
次いで、ＬＩＯＪＥＴ（登録商標）  ＷＤ  ＢＬＡＣＫ  ００２Ｃ（カーボンブラック濃度２０％、東洋インキ製造（株）製）：２５重量部を撹拌しながら、調製したインク用溶媒７５重量部を徐々に添加した。３０分間撹拌した後に、孔径１μｍのメンブランフィルターで濾過を行い、インクを調製した。
（実施例５）
水：４０重量部、グリセリン：２５．５重量部、ＰＧＰＥ：１重量部、ＤＰＧＰＥ：０．５重量部を撹拌混合し、インク用溶媒６７重量部を調製した。
【００５１】
次いで、ＣＡＢ−Ｏ−ＪＥＴ（登録商標）３００（カーボンブラック濃度１５％、キャボット社製）：３３重量部を撹拌しながら、調製したインク用溶媒６７重量部を徐々に添加した。３０分間撹拌した後に、孔径１μｍのメンブランフィルターで濾過を行い、インクを調製した。
（実施例６）
水：４０重量部、グリセリン：２５重量部、プロピレングリコールメチルエーテル（ＰＧＭＥ）：１．５重量部、ＤＰＧＰＥ：０．５重量部を撹拌混合し、インク用溶媒６７重量部を調製した。
【００５２】
次いで、ＣＡＢ−Ｏ−ＪＥＴ（登録商標）３００（カーボンブラック濃度１５％、キャボット社製）３３重量部を撹拌しながら、調製したインク用溶媒６７重量部を徐々に添加した。３０分間撹拌した後に、孔径１μｍのメンブランフィルターで濾過を行い、インクを調製した。
（実施例７）
水：３９重量部、グリセリン：２５．７重量部、ＰＧＭＥ：１．５重量部、ＤＰＧＰＥ：０．８重量部を撹拌混合し、インク用溶媒６７重量部を調製した。
【００５３】
次いで、ボンジェット（登録商標）ＣＷ１（カーボンブラック濃度１５％、オリエント化学工業（株）製）３３重量部を撹拌しながら、調製したインク用溶媒６７重量部を徐々に添加した。３０分間撹拌した後に、孔径１μｍのメンブランフィルターで濾過を行い、インクを調製した。
（実施例８）
水：４０重量部、グリセリン：２６重量部、プロピレングリコールエチルエーテル（ＰＧＥＥ）：０．５重量部、ＤＰＧＰＥ：０．５重量部を撹拌混合し、インク用溶媒６７重量部を調製した。
【００５４】
次いで、ＣＡＢ−Ｏ−ＪＥＴ（登録商標）３００（カーボンブラック濃度１５％、キャボット社製）：３３重量部を撹拌しながら、調製したインク用溶媒６７重量部を徐々に添加した。３０分間撹拌した後に、孔径１μｍのメンブランフィルターで濾過を行い、インクを調製した。
（実施例９）
水：４０重量部、グリセリン：２４．５重量部、プロピレングリコールメチルエーテルアセテート（ＰＧＭＥＡ）：１．５重量部、ＤＰＧＰＥ：１重量部を撹拌混合し、インク用溶媒６７重量部を調製した。
【００５５】
次いで、ＣＡＢ−Ｏ−ＪＥＴ（登録商標）３００（カーボンブラック濃度１５％、キャボット社製）３３重量部を撹拌しながら、調製したインク用溶媒６７重量部を徐々に添加した。３０分間撹拌した後に、孔径１μｍのメンブランフィルターで濾過を行い、インクを調製した。
（実施例１０）
水：４０重量部、グリセリン：２５．７重量部、ＰＧＰＥ：０．３重量部、ＤＰＧＰＥ：１重量部を撹拌混合し、インク用溶媒６７重量部を調製した。
【００５６】
次いで、ＣＡＢ−Ｏ−ＪＥＴ（登録商標）３００（カーボンブラック濃度１５％、キャボット社製）３３重量部を撹拌しながら、調製したインク用溶媒６７重量部を徐々に添加した。３０分間撹拌した後に、孔径１μｍのメンブランフィルターで濾過を行い、インクを調製した。
（比較例１〜１６）
顔料分散体として、ＣＡＢ−Ｏ−ＪＥＴ（登録商標）３００、ボンジェット（登録商標）ＣＷ１又はＬＩＯＪＥＴ（登録商標）  ＷＤ  ＢＬＡＣＫ  ００２Ｃを用い、プロピレングリコール誘導体としてＰＧＰＥ、ＰＧＭＥ、ＰＧＥＥ若しくはＰＧＭＥＡ、又は従来から使用されている浸透剤としてプロピレングリコール−ｎ−ブチルエーテル（ＰＧＢＥ）若しくはトリプロピレングリコールメチルエーテル（ＴＰＧＭＥ）を用いて、表２に示した組成に従って、実施例１と同様にしてインクを調製した。
【００５７】
実施例及び比較例に用いたプロピレングリコール誘導体、プロピレングリコール−ｎ−ブチルエーテル、トリプロピレングリコールメチルエーテル及びジプロピレングリコール−ｎ−プロピルエーテルの略号、オクタノール−水分配係数ｌｏｇＰ及び飽和蒸気圧を表１に示した。
【００５８】
また、実施例及び比較例のインク組成を表２に示した。
【００５９】
【表１】
2005336463.tif 000003
【００６０】
【表２】
2005336463.tif 000004
【００６１】
（評価）
実施例１〜１０及び比較例１〜１６で調製したインクについて、以下の方法により評価を行った。なお、評価には、特開平２−１５０３５５号公報に開示されているせん断モード型のインクジェットヘッドを有するインクジェット記録装置を用いて、ＤＡＴＡ  ＣＯＰＹ紙（ｍ−ｒｅａｌ社製）に記録した記録サンプルを使用した。結果を表３に示す。
（１）フェザリング
実施例１〜１０及び比較例１〜１６で調製したインクを用いた記録サンプルのフェザリングについて目視により観察し、以下の基準にて評価した。
◎：フェザリングがほとんど認められない
○：フェザリングが目立たない
△：フェザリングが目立ち、実用上問題あり
×：フェザリングが明らかに目立ち、実用には向かない
（２）紙面乾燥性
実施例１〜１０及び比較例１〜１６で調製したインクを用いた記録サンプルについて、印字してから１５秒後の記録サンプルを指で擦り、インクの擦れを目視により観察し、画像に与える影響を以下の基準にて評価した。なお、紙面乾燥性とは、印字後の紙面上におけるインクの乾燥性のことである
◎：インクの擦れがほとんど認められない
○：インク擦れが目立たない
△：インク擦れが目立ち、実用上問題あり
×：インク擦れが明らかに目立ち、実用には向かない
（３）文字の白スジ
実施例１〜１０及び比較例１〜１６で調製したインクを用いた記録サンプルについて、印字後の文字部分における白スジの発生を目視により観察し、画像に与える影響を以下の基準にて評価した。なお、文字の白スジとは、充分な浸透性を有していないインクを用いて印字した際に生じる隙間のことである。
◎：文字の白スジがほとんど認められない
○：文字の白スジが目立たない
△：文字の白スジが目立ち、実用上問題あり
×：文字の白スジが明らかに目立ち、実用には向かない
【００６２】
【表３】
2005336463.tif 000005
【００６３】
表３から明らかなように、実施例１〜１０で調製されたインクは、フェザリング、紙面乾燥性及び文字の白スジの全ての項目において良好な結果であった。
【００６４】
これに対し、比較例１〜１３で調製されたインクは、フェザリング、紙面乾燥性及び文字の白スジのいずれかの項目において問題を有していた。これは、実施例で調製されたインクと比べて、プロピレングリコール誘導体やジプロピレングリコール−ｎ−プロピルエーテルの含有量が適量でないためであると考えられた。
【００６５】
また、比較例１４〜１６で調製されたインクは、飽和蒸気圧が２ｈＰａ未満であり、オクタノール−水分配係数ｌｏｇＰが１．３５を超えるプロピレングリコール−ｎ−ブチルエーテル（ＰＧＢＥ）又はトリプロピレングリコールメチルエーテル（ＴＰＧＭＥ）を含有するため、フェザリング、紙面乾燥性及び文字の白スジのいずれかの項目において問題を有していた。
【産業上の利用可能性】
【００６６】
本発明は、上述の構成よりなるので、紙面乾燥性に優れるとともに、フェザリングや文字の白スジの発生を防止することが可能なインクジェット記録用水性顔料インク及びインクジェット記録方法を提供することができる。